(57)【要約】【課題】不使用時に容易に折り畳むことができ、持ち運びに便利なアイグラスディスプレイを提供する。【解決手段】映像投影レンズ３と映像形成投影装置７とが機械的に干渉するので、テンプル９は、図の反時計方向には回転できない。しかし、図に示すように、回動軸８を中心として図の時計方向に回動可能となっており、この回動により、映像形成投影装置７とテンプル９は、それぞれ７’、９’で示す位置を経て、７”、９”に示す位置まで回動し、眼鏡レンズ２、映像投影レンズ３の表側に折り畳まれる。【選択図】  図１
2008022364.tif 000002
【特許請求の範囲】
【請求項１】
眼鏡タイプのアイグラスディスプレイであって、眼鏡レンズがテンプルを含む支持体によって保持され、一つのテンプルには、映像形成投影装置が保持されており、前記映像形成投影装置から射出される光束を、前記眼鏡レンズのうちの一つ（映像投影レンズ）に入射させて第１の反射体により反射させ、当該眼鏡レンズの中を通して第２の反射体により反射させて眼に導くものにおいて、前記映像形成投影装置とそれを保持するテンプルが、当該アイグラスディスプレイの装着時の顔側と反対側に回動可能とされていることを特徴とするアイグラスディスプレイ。
【請求項２】
前記回動をロックするロック機構が設けられていることを特徴とする請求項１に記載のアイグラスディスプレイ。
【請求項３】
前記映像形成投影装置とそれを保持するテンプルが、当該アイグラスディスプレイの装着時の顔側と反対側に回動されているとき、前記映像形成投影装置の光束射出面を保護する保護部材を有することを特徴とする請求項１又は請求項２に記載のアイグラスディスプレイ。
【発明の詳細な説明】
【技術分野】
【０００１】
本発明はアイグラスディスプレイに関するものである。
【背景技術】
【０００２】
外界の映像にコンピュータなどの映像を重ねて表示可能なディスプレィとして、シースルータイプのアイグラスディスプレイがあり、例えば特開２００４−１２７６８号公報（特許文献１）に記載されている。このようなディスプレィでは、映像形成投影装置で形成された映像に対応する光束を、眼鏡レンズを通して伝播させ、眼鏡レンズ中央付近にあるハーフミラーやＨＯＥ等の反射部材で目の方に映像を反射させて表示する。
【特許文献１】特開２００４−１２７６８号公報
【発明の開示】
【発明が解決しようとする課題】
【０００３】
通常の眼鏡の場合、眼鏡のテンプルを折り畳むことによって持ち運びを簡単にできるが、このようなアイグラスディスプレイの場合、テンプル部に映像形成投影装置が取り付けられるため、テンプルを内側に折り畳もうとしても、眼鏡レンズと映像形成投影装置が機械的に干渉して折り畳むことができず持ち運びに不便であった。
【０００４】
本発明はこのような事情に鑑みてなされたものであり、不使用時に容易に折り畳むことができ、持ち運びに便利なアイグラスディスプレイを提供することを課題とする。
【課題を解決するための手段】
【０００５】
前記課題を解決するための第１の手段は、眼鏡タイプのアイグラスディスプレイであって、眼鏡レンズがテンプルを含む支持体によって保持され、一つのテンプルには、映像形成投影装置が保持されており、前記映像形成投影装置から射出される光束を、前記眼鏡レンズのうちの一つ（映像投影レンズ）に入射させて第１の反射体により反射させ、当該眼鏡レンズの中を通して第２の反射体により反射させて眼に導くものにおいて、前記映像形成投影装置とそれを保持するテンプルが、当該アイグラスディスプレイの装着時の顔側と反対側に回動可能とされていることを特徴とするアイグラスディスプレイである。
【０００６】
前記課題を解決するための第２の手段は、前記第１の手段であって、前記回動をロックするロック機構が設けられていることを特徴とするものである。
【０００７】
前記課題を解決するための第３の手段は、前記第１の手段又は第２の手段であって、前記映像形成投影装置とそれを保持するテンプルが、当該アイグラスディスプレイの装着時の顔側と反対側に回動されているとき、前記映像形成投影装置の光束射出面を保護する保護部材を有することを特徴とするものである。
【発明の効果】
【０００８】
本発明によれば、不使用時に容易に折り畳むことができ、持ち運びに便利なアイグラスディスプレイを提供することができる。
【発明を実施するための最良の形態】
【０００９】
以下、本発明の実施の形態の例を、図を用いて説明する。図１は、本発明の実施の形態の１例であるアイグラスディスプレイの概要を示す図である。図１において、アイグラスディスプレイ１は、２つの眼鏡レンズ２、３を有し、これらはフレーム４に嵌め込まれている。そのうちの一つの眼鏡レンズ３中には、第１の反射体であるミラー５と第２の反射体であるハーフミラー６が設けられており、映像投影レンズとされている。フレーム４の映像投影レンズ３側には、映像形成投影装置７が、回動軸８を介してフレーム４に対して回動可能に取り付けられている。映像形成投影装置７中には、ＬＣＤ等の映像形成装置７ａと投影レンズ７ｂが設けられている。映像形成投影装置７には、テンプル９が取り付けられている。眼鏡レンズ２側のフレーム４には、テンプル１０が取り付けられている。
【００１０】
図１に実線で示す使用状態においては、映像形成装置７ａで形成された画像は、投影レンズ７ｂにより投影されて映像投影レンズ３中に入り、ミラー５で反射されて映像投影レンズ３中を透過し、ハーフミラー６で反射されて眼Ｅに投影される。ハーフミラー６は、単なる平面ミラーでなく、凹面鏡のようにパワーを持ってもよい。又、ＨＯＥ（ホログラフィック・オプティカル・エレメント）でもよい。
【００１１】
通常の眼鏡においては、テンプル９は、回動軸８を中心として図１の反時計方向に回動して折り畳まれるが、図１の時計方向には回動が不可能になっている。この実施の形態においては、映像投影レンズ３と映像形成投影装置７とが機械的に干渉するので、テンプル９は、図１の反時計方向には回転できない。しかし、図１に示すように、回動軸８を中心として時計方向に回動可能となっており、この回動により、映像形成投影装置７とテンプル９は、それぞれ７’、９’で示す位置を経て、７”、９”に示す位置まで回動し、眼鏡レンズ２、映像投影レンズ３の表側（装着者と反対側）に折り畳まれる。
【００１２】
一般の眼鏡においては、頭部に装着された状態で頭部に対して押圧をかけるようになっており、この押圧により頭部に安定して装着可能とされている。しかし、図１のように、テンプル９を外側に回動可能としてしまうと、この押圧をかけることが困難となり、安定した装着ができなくなる可能性がある。よって、映像形成投影装置７とテンプル９の回動をロックする機構を設けることが好ましい。
【００１３】
このようなロック機構の概念図を図２に示す。なお、以下の図においては、前出の図に示された構成要素と同じ構成要素には同じ符号を付してその説明を省略する。図２（ａ）に示すように、フレーム４と映像形成投影装置７との相対移動をロックするロック部材１１が設けられている。ロック時には、図２（ｂ）に示すように、バネ１２の付勢力により、ロック部材１１がフレーム４の穴の中に嵌り込むようになっている。なお、図示しないが、ロック部材１１と映像形成投影装置７との紙面垂直方向の動きは一体化されるようにされている。これにより、映像形成投影装置７は回動不能となる。
【００１４】
ロック部材１１を、バネ１２の付勢力に抗して操作することにより、図２（ｃ）に示すように、フレーム４の穴１３からロック部材１１が外れ、フレーム４と映像形成投影装置７との拘束が解かれるので、映像形成投影装置７を図１の回動軸８の回りに回動させることが可能となる。
【００１５】
使用時においては、映像形成投影装置７の光束射出面は、映像投影レンズ３に接しているので、この部分に埃等がくっついたり、この面に傷が付いたりする不具合はないが、映像形成投影装置７が７”の位置にあるときは、映像形成投影装置７の光束射出面がむき出しになるので、このような不具合が発生する恐れがある。よって、このような場合には、映像形成投影装置７の光束射出面を覆うシャッタを設けることが好ましい。
【００１６】
この例の略図を図３に示す。図３（ａ）は、映像形成投影装置７が７”の位置にあるときの状態を示す図である。映像形成投影装置７には、シャッタ１４が設けられており、バネ１５で付勢されて映像形成投影装置７の光束射出面が露出しないようにしている。この状態から、図３（ｂ）で示す状態を経て、図３（ｃ）に示す状態とすれば、映像形成投影装置７の光束射出面がシャッタ１１で覆われない状態となる。この状態から、図３（ｄ）に示すように、手動でシャッタ１４を待避させ、その状態で保持すれば（保持機構は省略する）、使用状態とすることができる。
【図面の簡単な説明】
【００１７】
【図１】本発明の実施の形態の１例であるアイグラスディスプレイの概要を示す図である。
【図２】ロック機構の概要を示す概念図である。
【図３】光束射出面を覆うシャッタの例を示す概念図である。
【符号の説明】
【００１８】
１…アイグラスディスプレイ、２…眼鏡レンズ、３…映像投影レンズ、４…フレーム、５…ミラー、６…ハーフミラー、７…映像形成投影装置、７ａ…映像形成装置、７ｂ…投影レンズ、８…回動軸、９…テンプル、１０…テンプル、１１…ロック部材、１２…バネ、１３…穴、１４…シャッタ、１５…バネ
【図１】
2008022364.tif 000003
【図２】
2008022364.tif 000004
【図３】
2008022364.tif 000005